(57)【要約】【課題】作動トルクを調整可能にして、適正なトルクでの再閉栓（リシール）を可能とし、キャップ締めすぎを防止したキャップを提供する。【解決手段】キャップ本体１と外蓋２とからなるキャップであって、外蓋２内周面にはキャップ本体１外周面に形成されたラチェット爪５と係止し得るラチェット片６が周方向に間隔をおいて複数個突設されており、キャップ本体１の雌ねじ部１ｅをボトル口部３の雄ねじ形成部３ａに螺合すると共に、キャップを開栓する際に、ラチェット爪５とラチェット片６とを係止し、リシールする際において、必要以上のトルクが加わった時に、ラチェット爪５とラチェット片６とを空転させてキャップ本体の締めすぎを防止した。【選択図】  図１
2005219783.tif 000002
【特許請求の範囲】
【請求項１】
天面壁と、
該天面壁の周縁から垂下するスカート部を有するキャップ本体と、
該キャップ本体を覆うように冠着されたリング状筒部を有する外蓋と、からなるキャップであって、
該スカート部内周面には、ボトル口部外周に形成された雄ねじ形成部と係合する雌ねじ部を有し、
該外蓋内周面には、該キャップ本体外周面に形成されたラチェット爪と係止し得るラチェット片が周方向に間隔をおいて複数個設けられ、
該リング状筒部は、該キャップ本体と上下方向に係止する係止部を有し、
キャップを開栓する際には、キャップ本体の雌ねじ部をボトルの雄ねじ形成部に螺合した状態で該ラチェット爪と該ラチェット片とが強固に係止し、
キャップをリシールする際には、必要以上のトルクが加わった時に該ラチェット爪と該ラチェット片とが空転して該キャップ本体の回転が阻止されることを特徴とするキャップ。
【請求項２】
該外蓋は、該リング状筒部と該リング状筒部の上端部から内方に延びる天板部とからなることを特徴とする請求項１に記載のキャップ。
【請求項３】
該ラチェット爪は該スカート部の外周面に形成され、該ラチェット片は該リング状筒部の内周面に形成されていることを特徴とする請求項１又は２に記載のキャップ。
【請求項４】
該ラチェット爪は該天面壁の外面に形成され、該ラチェット片は該天板部の内面に形成されていることを特徴とする請求項２に記載のキャップ。
【請求項５】
前記ラチェット爪とラチェット片の径方向突出量を変えることにより、リシール時に前記キャップ本体に付加されるトルクの大きさを設定するようにしたことを特徴とする請求項１〜４のいずれかに記載のキャップ。
【発明の詳細な説明】
【技術分野】
【０００１】
本発明は、飲料や調味料を入れるボトルの開口部に装着されるキャップに関し、より詳細にはボトルに装着されるキャップにおいて、その開閉操作における操作性を向上させるための改良に関する。
【背景技術】
【０００２】
従来のユニバーサルデザイン等の考え方においては、飲料用容器などに外径の大きなキャップを適用することは、操作性の向上という点で有効であることが確認されている。これによって開栓操作はもちろん良くなるが同時に閉栓操作時でもキャップがボトルに締まり易く、ともすれば過剰な締まり状態になることもあった。このようなキャップの開閉操作を調整する技術などに関連して、例えば、以下のようなものが開示されている。
特許文献１には、周壁の下端にリング状封緘バンドを薄肉脆弱ブリッジを介して連結するキャップ本体とこのキャップ本体に冠着するオーバーキャップとからなり、キャップ本体の周壁外周面とオーバーキャップ周壁内周面とにローレット目を設けて固定し、オーバーキャップの外周径などの外形を大きくすることにより、キャップを開け易くしたオーバーキャップ付封緘キャップが開示されている。
【特許文献１】特開２００３−４０２９７号公報
【発明の開示】
【発明が解決しようとする課題】
【０００３】
しかしながら、特許文献１に記載のオーバーキャップ付封緘キャップは、キャップの開栓を容易にしている一方、リシール時においてキャップを締めすぎるという問題があった。
本発明は前記従来の課題を解決するためになされたもので、容易に開栓でき且つ適正なトルクでのリシールを可能とし、さらにその作動トルクを調整可能にして操作性や取り扱い性に優れたキャップを提供することを目的とする。
【課題を解決するための手段】
【０００４】
（１）本発明のキャップは、天面壁と、該天面壁の周縁から垂下するスカート部を有するキャップ本体と、該キャップ本体を覆うように冠着されたリング状筒部を有する外蓋と、からなるキャップであって、
該スカート部内周面には、ボトル口部外周に形成された雄ねじ形成部と係合する雌ねじ部を有し、
該外蓋内周面には、該キャップ本体外周面に形成されたラチェット爪と係止し得るラチェット片が周方向に間隔をおいて複数個設けられ、該リング状筒部は、該キャップ本体と上下方向に係止する係止部を有し、キャップを開栓する際には、キャップ本体の雌ねじ部をボトルの雄ねじ形成部に螺合した状態で該ラチェット爪と該ラチェット片とが強固に係止し、キャップをリシールする際には、必要以上のトルクが加わった時に該ラチェット爪と該ラチェット片とが空転して該キャップ本体の回転が阻止されることを特徴とする。
（２）本発明のキャップは、前記（１）において、該外蓋は、該リング状筒部と該リング状筒部の上端部から内方に延びる天板部とからなることにも特徴を有している。
（３）本発明のキャップは、前記（１）又は（２）において、該ラチェット爪は該スカート部の外周面に形成され、該ラチェット片は該リング状筒部の内周面に形成することもできる。
（４）本発明のキャップは、前記（２）において、該ラチェット爪は該天面壁の外面に形成され、該ラチェット片は該天板部の内面に形成することもできる。
（５）本発明のキャップは、前記（１）〜（４）のいずれかにおいて、ラチェット爪とラチェット片の径方向突出量を変えることにより、閉栓時に前記キャップ本体に付加されるトルクの大きさを設定することもできる。
【発明の効果】
【０００５】
請求項１記載の発明によれば、キャップがラチェット爪を備えたキャップ本体と、これに係止し得るラチェット片が周方向に間隔をおいて複数個設けられた外蓋とを備え、キャップを開栓する際には、キャップ本体をボトルに螺合した状態で、該ラチェット爪と該ラチェット片が強固に係止し、キャップをリシールする際には、必要以上のトルクが加わった時に該ラチェット爪と該ラチェット片とが空転して該キャップ本体の回転が阻止されるので、これらラチェット爪とラチェット片との作用によって適正なトルクでキャップのリシール操作を行うことができる。
さらに、その作動トルクをラチェット爪とラチェット片とで調整可能にして取り扱い性に優れたキャップを提供することができる。
したがって、従来のローレット目で係着しているもののように、リシールの際に力が入って締めすぎになるようなことがない。
【０００６】
請求項２記載の発明によれば、前記外蓋がリング状筒部と前記リング状筒部の上端部から内方に延びる天板部とからなるので、キャップ本体を全体的にカバーするキャップを提供することができる。
【０００７】
請求項３記載の発明によれば、前記ラチェット爪は該スカート部の外周面に形成され、該ラチェット片は該リング状筒部の内周面に形成されるので、キャップリシール時のトルク調整を容易に設定することができる。
【０００８】
請求項４記載の発明によれば、前記ラチェット爪は該天面壁の外面に形成され、該ラチェット片は該天板部の内面に形成されるので、キャップリシール時のトルク調整性をさらに容易に設定したキャップを提供することができる。
【０００９】
請求項５記載の発明によれば、ラチェット爪とラチェット片の径方向突出量を変えることにより、リシール時に前記キャップ本体に付加されるトルクの大きさを設定することができるので、使用状況に応じて適正操作ができるトルクに設定して、さらに取り扱い性に優れたキャップとすることができる。
【発明を実施するための最良の形態】
【００１０】
本発明のキャップは、樹脂製ボトル、ガラス瓶、ねじ付き缶などの容器開口部に螺合されるキャップ本体と、前記キャップ本体を覆うように冠着された外蓋と、キャップ本体及び外蓋に設けられリシール時の回転方向に付加される規定値以上のトルクを開放して空転させるラチェット機構とを備えている。
これによって、適正なトルクで開栓及びリシール操作が行え、操作性や取り扱い性に優れたキャップを提供することができる。
以下、本発明のキャップを具体化した各実施例１、２についてそれぞれ図面を参照しながら説明する。
【実施例１】
【００１１】
図１（ａ）は本発明の実施例１に係るキャップの縦断面図であり、図１（ｂ）はそのＡ−Ａ断面図であり、図１（ｃ）は本発明のキャップをボトル口部外周に装着した場合の縦断面図である。
図２（ａ）は、前記キャップの外蓋の縦断面図であり、図２（ｂ）はキャップ本体の側面図、図２（ｃ）はキャップ本体の縦断面図であり、図２（ｄ）はキャップ本体の上面図である。
図３（ａ）は、実施例１のキャップにおける外蓋２を表側からみた上面図であり、図３（ｂ）は側面から見た側面図である。
【００１２】
実施例１のキャップは、図１〜図３に示すように、キャップ本体１と、キャップ本体１を上部から覆うように冠着された外蓋２とを備える。
キャップ本体１は、天面壁１ａと、天面壁１ａの周縁から垂下するスカート部１ｂを有する。
外蓋２は、天板部２ａと、天板部２ａの周縁から垂下するリング状筒部４とを有し、スカート部１ｂと同軸状に、キャップ本体１の上部から冠着して本発明のキャップを構成する。
また、キャップ本体１のスカート部１ｂの内周面には、ボトル口部３外周に形成された雄ねじ形成部３ａと係合する雌ねじ部１ｅを有し、さらに、スカート部１ｂの外周には複数個のラチェット爪５を有している。
外蓋２には、スカート部１ｂの外周に形成されたラチェット爪５と係止し得るラチェット片６が周方向に間隔をおいて斜め内側方向に複数個突設されており、これにより、キャップ本体１の雌ねじ部１ｅをボトル口部３の雄ねじ形成部３ａに螺合可能となると共に、キャップ本体１に外蓋を冠着してキャップを構成した際において、キャップ本体１のラチェット爪５と外蓋２のラチェット片６とが係止される状態となる。
【００１３】
こうして、キャップ本体１と外蓋２との係止を、スカート部１ｂ及びリング状筒部４に配置したラチェット機溝で行うことにより、適正なトルクでのリシール操作を行うことができる。
また、外蓋２のリング状筒部４下部には内方向に凸状の係止部２ｃを備え、外蓋２をキャップ本体１に冠着したときに、外蓋２の係止部２ｃがスカート部１ｂ下部において外方向にリング状に形成された被係止部１ｃに係止され、外蓋２のキャップ本体１からの上部方向への離脱防止を図っている。
前記係止部２ｃは及び被係止部１ｃは、突起状の形状のものが互いに掛かり止めされるようなものであってもよいし、一方を凸状とし他方を凹状として凸状を凹状に落とし込んで係止させる形態のものであってもよく、特にその形状は問わない。
【００１４】
なお、キャップ本体１及び外蓋２は、その素材としては、ポリエチレンやポリアミド、ポリプロピレン、などの合成樹脂が挙げられ、これらの素材を射出、圧縮などの成形方法により形成された略円筒状部材とすることが好ましい。
さらに、外蓋２は、本発明の実施例１においては、図１（ｂ）に示すように、外蓋２のリング状筒部４は、その一部を内部に空洞部４ｂを介した外筒部４ａ、内筒部４ｃの２重壁構造となっている。
外蓋２はその外径を大きくする方が、開栓及びリシール操作時に手指に力が入り、操作性がよい。
一方、あまりに外蓋２の外径を大きくすると、樹脂などの材料の嵩が増し、コスト面、取り扱い面において不利となる。
そこで、リング状筒部４の肉厚部の材料を一部除去した空洞部４ｂを形成し、材料の節約、軽量化を図ることが好ましい。
【００１５】
上記のように、実施例１のキャップは、スカート部１ｂ及びリング状筒部４に、それぞれラチェット爪５及びラチェット片６からなるラチェット機構を備えるので、キャップをボトル口部３にリシールする際において、必要以上のトルクが加わった時に、ラチェット爪５とラチェット片６とが空転してキャップの締めすぎを防止することができるようになっている。
すなわち、実施例１のキャップは、キャップ本体及び外蓋の側部にラチェット機構が設けられ、キャップ本体の開栓回転方向の動きを確実に規制すると共に、閉栓回転方向にボトルに付加される規定値以上のトルクを開放して空転させるようにすることができる。
さらに、上記ラチェット機構においてはラチェット爪５とラチェット片６の係止状態を、ラチェット爪５の径方向突出量ｈや幅（高さ方向）、ラチェット片６の厚み（肉厚）、等の形状を変更することにより、キャップリシール時にキャップ本体１に付加されるトルクの大きさを適宜設定することができ、使用状況に応じた操作性に優れている。
なお、前記径方向突出量ｈは通常１ｍｍ以下とすることが好ましいが、この数値が大きいとリシール操作時にキャップ本体１に冠着される外蓋２の適正な空転が阻害されて、過剰な締まり状態となり、開栓が困難となり好ましくない。
【００１６】
なお、図３（ａ）においては、外蓋２の外筒部４ａを波状として示すが、その他の形状、例えば、周方向の一部に突起を設けた突起状のもの、周方向の一部に凹部を設けた段差状のものとすることもできる。
このように外蓋２の外筒部４ａを凹凸面や所定粗さの粗面などに形成しておき、この外周面を握って回転させるときに手指が滑り難くして、開栓時及びリシール時の操作性をさらに向上させることもできる。
また、外蓋２とキャップ本体１との相対的上下位置を段階的にスライド移動できるようにしておき、これによって、ラチェット爪５及びラチェット片６の上下方向係止面積を変えることで、リシール時にキャップ本体１に付加されるトルクの大きさを適宜調整することも可能である。
【実施例２】
【００１７】
図４（ａ）は本発明の実施例２に係るキャップの外蓋をその下面からみた下面図であり、図４（ｂ）はキャップの外蓋の縦断面図であり、図４（ｃ）は外蓋が冠着されるキャップ本体の縦断面図であり、
図４（ｄ）はキャップ本体の上面図である。図５（ａ）はキャップ本体に外蓋を冠着した場合の縦断面図であり、（ｂ）はそのＢ−Ｂ断面図である。
実施例２のキャップは、図４、図５に示すように、キャップ本体１１と、キャップ本体１１を上部から覆うように冠着された外蓋１２とを備える。
キャップ本体１１は、天面壁１１ａと、天面壁１１ａの周縁から垂下するスカート部１１ｂを有する。外蓋１２は、天板部１２ａと、天板部１２ａの周縁から垂下するリング状筒部１４とを有し、天面壁１１ａのスカート部１１ｂと同軸状に、キャップ本体１１の上部から冠着して本発明のキャップを構成する。
【００１８】
また、外蓋１２のリング状筒部１４下部には係止部１２ｃを備え、外蓋１２をキャップ本体１１に冠着したときに、外蓋１２がキャップ本体１１の被係止部１１ｃに係止され、外蓋１２のキャップ本体１１からの上方向への離脱防止を図っている。
さらに、キャップ本体１１の天面壁１１ａの外面（上面）には複数個のラチェット爪１５を有している。
外蓋１２の天板部１２ａの内面には、上記天面壁１１ａに形成されたラチェット爪１５と係止し得るラチェット片１６が周方向に間隔をおいて斜め下方に複数個突設されており、キャップ本体１１に外蓋１２を冠着してキャップを構成した際において、キャップ本体１１のラチェット爪１５と外蓋１２のラチェット片１６とが係止される状態となる。
こうして、キャップ本体１１と外蓋１２との係止を、キャップ本体１１の天面壁１１ａと外蓋１２の内面の天面壁１１ａに配置したラチェット機溝で行うことにより、適正なトルクでのリシール操作を行うことができる。
【００１９】
上記のように、実施例２のキャップは、天面壁１１ａ及び天板部１２ａに、それぞれラチェット爪１５及びラチェット片６からなるラチェット機構を備えるので、キャップをボトル口部３にリシールする際において、必要以上のトルクが加わった時に、ラチェット爪１５とラチェット片１６とが空転してキャップの締めすぎを防止することができるようになっている。
すなわち、実施例２のキャップは、キャップ本体上部及び外蓋下部にラチェット機構が設けられ、キャップ本体の開栓回転方向の動きを確実に規制すると共に、閉栓回転方向にボトルに付加される規定値以上のトルクを開放して空転させるようにすることができる。
【００２０】
なお、図４（ａ）においても、外蓋１２の外筒部を波状として示すが、その他の形状としても差し支えない。
また、外蓋１２とキャップ本体１１との相対的上下位置を段階的にスライド移動できるようにしておき、これによって、ラチェット爪１５及びラチェット片１６の上下方向係止面積を変えることで、リシール時にキャップ本体１１に付加されるトルクの大きさを適宜調整することも可能である。
なお、キャップ本体１１の天面壁１１ａ周縁部に設けた複数個の突部１７と、外蓋１２の天板部１２ａ内面外周部に設けた複数個の突条１８とは、内容液を容器に充填後、最初にキャップを巻き締める時に、キャッパーからの閉栓トルクが確実に伝わるように設けられたものであり、上方からの押圧力と共に回転力を加えることにより、前記突部１７と突条１８とが係合してキャッパーからの回転力をキャップに伝えるものである。
【産業上の利用可能性】
【００２１】
本発明は、飲料や調味料等を入れるボトル口部に装着されるキャップに好適に適用でき、その開栓及びリシール時における優れた操作性を有するキャップを提供することができる。
【図面の簡単な説明】
【００２２】
【図１】（ａ）は本発明の実施例１に係るキャップの縦断面図であり、（ｂ）はそのＡ−Ａ断面図であり、（ｃ）はキャップをボトルに装着した場合の縦断面図である。
【図２】（ａ）は、キャップの外蓋の縦断面図であり、（ｂ）はキャップ本体の側面図、（ｃ）はキャップ本体の縦断面図であり、（ｄ）はキャップ本体の上面図である。
【図３】（ａ）はキャップの外蓋を表側から見た上面図、（ｂ）は側面から見た側面図である。
【図４】（ａ）は本発明の実施例２に係るキャップの外蓋をその下面からみた下面図であり、（ｂ）はキャップの外蓋の縦断面図であり、（ｃ）は外蓋が冠着されるキャップ本体の縦断面図であり、（ｄ）はキャップ本体の上面図である。
【図５】（ａ）はキャップ本体に外蓋を冠着した場合の縦断面図であり、（ｂ）はそのＢ−Ｂ断面図である。
【符号の説明】
【００２３】
１  キャップ本体
１ａ  天面壁
１ｂ  スカート部
１ｃ  被係止部
１ｅ  雌ねじ部
２  外蓋
２ａ  天板部
２ｃ  係止部
３  ボトル口部
３ａ  雄ねじ形成部
４  リング状筒部
４ｂ  空洞部
４ａ  外筒部
４ｃ  内筒部
５  ラチェット爪
６  ラチェット片
１１  キャップ本体
１１ａ  天面壁
１１ｂ  スカート部
１１ｃ  被係止部
１２  外蓋
１２ａ  天板部
１２ｃ  係止部
１４  リング状筒部
１５  ラチェット爪
１６  ラチェット片
１７  突部
１８  突条
ｈ  径方向突出量
【図１】
2005219783.tif 000003
【図２】
2005219783.tif 000004
【図３】
2005219783.tif 000005
【図４】
2005219783.tif 000006
【図５】
2005219783.tif 000007